(57)【要約】 【課題】隙間なく梱包した場合でも容易に中身の吸水性スポンジを取り出すことができる生け花用スポンジの収納箱を提供することにある。【解決手段】生け花用スポンジ収納箱１００は、底面１１０と、天面１２０と、側壁１３０を備え、底面１１０と天面１２０との間に収納空間１４０が画成される。天面１２０は、生け花用スポンジ１０を収納空間１４０に出し入れ可能な開口面積を有するとともに開閉可能に設けられた取出し開閉部１２２を有する。底面１１０は、取出し開閉部１２２に対向する位置において収納空間１４０に収納された生け花用スポンジ１０に対して取出し開閉部１２２に向けた押出し力を付与するための押出し力付与部１１９を有する。押出し力付与部１１９は、底面１１０に設けられた開口部１１１と、この開口部１１１を閉塞するともに力の付与によって揺動する可動片となる蓋部１１２と、からなる。【選択図】図４
0003128247.tif 000002
【実用新案登録請求の範囲】
【請求項１】
複数の生け花用スポンジを収納する収納空間を内部に有する直方体形状の収納箱であって、
底面と、
前記底面に対向する側の面に設けられた天面と、
前記底面と前記天面との間の空間を収納空間として画成する側壁と、を備え、
前記天面は、前記生け花用スポンジを前記収納空間に出し入れ可能な開口面積を有するとともに開閉可能に設けられた取出し開閉部を有し、
前記底面は、前記取出し開閉部に対向する位置において前記収納空間に収納された生け花用スポンジに対して前記取出し開閉部に向けた押出し力を付与するための押出し力付与部を有する
ことを特徴とする生け花用スポンジ収納箱。
【請求項２】
請求項１に記載の生け花用スポンジ収納箱において、
前記押出し力付与部は、
前記底面において開口した開口部を有し、
前記開口部は、前記生け花用スポンジが前記収納空間に収納された状態においてこの生け花用スポンジが取出し不可の開口面積であって、
かつ、外部からこの開口部を通して前記生け花用スポンジに押出し力を付与するための手段を挿入可能な開口面積を有する
ことを特徴とする生け花用スポンジ収納箱。
【請求項３】
請求項２に記載の生け花用スポンジ収納箱において、
前記押出し力付与部は、
前記開口部を閉塞する蓋部を備え、
前記蓋部の全周囲には、力の付加により蓋部を取り外し可能とするミシン目あるいは浅い切込みによる脆弱部が設けられている
ことを特徴とする生け花用スポンジ収納箱。
【請求項４】
請求項２に記載の生け花用スポンジ収納箱において、
前記押出し力付与部は、
前記開口部を閉塞するとともに、少なくとも周囲の一部が前記底面に連結された連結部となり、かつ、周囲のうち前記連結部を除く他の部分には力の付加により前記底面から切断可能な脆弱部が設けられ、前記連結部を枢軸として前記収納空間の内外方向へ揺動可能に設けられた可動片を備える
ことを特徴とする生け花用スポンジ収納箱。
【請求項５】
請求項４に記載の生け花用スポンジ収納箱において、
前記可動片は、前記開口部の中央で二分されるとともにこの中央部から前記収納空間の内部に向けて押し開き可能に観音開き状に２枚設けられている
ことを特徴とする生け花用スポンジ収納箱。
【請求項６】
請求項４に記載の生け花用スポンジ収納箱において、
前記押出し力付与部は、前記収納空間に収納された前記生け花用スポンジのうちの一の生け花用スポンジの底面を押せる範囲内において間を隔てて２つ以上設けられている
ことを特徴とする生け花用スポンジ収納箱。
【考案の詳細な説明】
【技術分野】
【０００１】
本考案は、生け花用スポンジの収納箱に関し、具体的には、中身の取り出しを容易にするための収納箱に関する。
【背景技術】
【０００２】
生け花・フラワーアレンジメント等で花を活ける際に使用される吸水性のスポンジが知られ（例えば、特許文献１）、特に、出願人が販売している吸水性スポンジは、生花店をはじめとして広く知られ、使用されている。
このような吸水性のスポンジは、例えば直方体のブロック状に形成されている。そして、このスポンジに水を吸水させた状態で花の茎を差し込むことにより、花のアレンジを容易に行うことができるとともに、花に水を供給することができる（図９参照）。
出荷にあたっては、複数の吸水性スポンジを一つの箱に収納して運搬等を行っている。例えば、直方体（８×１１×２３ｃｍ）の吸水性スポンジがダンボール箱に２０個または４８個詰めで梱包される。
【０００３】
【特許文献１】特開２００２−１６５５２０号
【考案の開示】
【考案が解決しようとする課題】
【０００４】
しかしながら、出荷時において、生け花用の吸水性スポンジはダンボール箱に隙間なく梱包されるため、生け花用スポンジをダンボール箱から取り出しにくいという問題があった。特に、最初の一個を取り出す際には非常な困難を伴い、スポンジがやわらかいために最初の一個が破損してしまい、商品として使用できないという不都合が頻繁に生じていた。
【０００５】
本考案の目的は、隙間なく梱包した場合でも容易に中身の吸水性スポンジを取り出すことができる生け花用スポンジの収納箱を提供することにある。
【課題を解決するための手段】
【０００６】
本考案は、複数の生け花用スポンジを収納する収納空間を内部に有する直方体形状の収納箱であって、底面と、前記底面に対向する側の面に設けられた天面と、前記底面と前記天面との間の空間を収納空間として画成する側壁と、を備え、前記天面は、前記生け花用スポンジを前記収納空間に出し入れ可能な開口面積を有するとともに開閉可能に設けられた取出し開閉部を有し、前記底面は、前記取出し開閉部に対向する位置において前記収納空間に収納された生け花用スポンジに対して前記取出し開閉部に向けた押出し力を付与するための押出し力付与部を有することを特徴とする。
【０００７】
このような構成において、底面に設けられた押出し力付与部から収納空間内に収納された活け花用スポンジに押出し力を与える。すると、中身の生け花用スポンジが天面の取出し開口部に向けて押し出される。このようにして最初の一個が取出し開口部から押し出されることにより、従来は取り出し困難であった最初の一個の取り出しを容易とする。したがって、商品（生け花用スポンジ）の破損が防止されるとともに、梱包開封の作業効率が向上するという効果を奏する。
【０００８】
本考案では、前記押出し力付与部は、前記底面において開口した開口部を有し、前記開口部は、前記生け花用スポンジが前記収納空間に収納された状態においてこの生け花用スポンジが取り出し不可の開口面積であって、かつ、外部からこの開口部を通して前記生け花用スポンジに押出し力を付与するための手段を挿入可能な開口面積を有することが好ましい。
【０００９】
このような構成において、押出し力付与部としての開口部から手あるいは所定の棒等を押し込むことにより、収納空間に収納された生け花用スポンジに押出し力を与えることができる。単に開口が空いているだけでよいので、従来の出荷用ダンボールに開口を設けるだけで低コストに本考案を実施することができる。
【００１０】
本考案では、前記押出し力付与部は、前記開口部を閉塞する蓋部を備え、前記蓋部の全周囲には、力の付加により蓋部を取り外し可能とするミシン目あるいは浅い切込みによる脆弱部が設けられていることが好ましい。
【００１１】
このような構成において、押出し力付与部の開口部は蓋部によって閉塞可能であるので、出荷時や運送時には開口部を閉塞しておくことができる。そして、収納箱から中身の生け花用スポンジを取り出す際には蓋部に弱い力をかけて蓋部を外す。すると、開口部が開口するので、この開口から生け花用スポンジに押出し力を付与して取出し開口部から生け花用スポンジを取り出すことができる。運送時は、開口部を閉塞できるので、汚れなどが商品である生け花用スポンジに付着するのを防ぐことができる。
【００１２】
本考案では、前記押出し力付与部は、前記開口部を閉塞するとともに、少なくとも周囲の一部が前記底面に連結された連結部となり、かつ、周囲のうち前記連結部を除く他の部分には力の付加により前記底面から切断可能な脆弱部が設けられ、前記連結部を枢軸として前記収納空間の内外方向へ揺動可能に設けられた可動片を備えることが好ましい。
【００１３】
このような構成において、押出し力付与部の可動片は揺動可能である。収納箱から中身の生け花用スポンジを取り出す際には、可動片に力をかけて脆弱部を底面から切り離し、そのまま開口部から収納空間の中に押し込む。すると、可動片によって生け花用スポンジが取出し開口部に向けて押し出され、取出し開口部から生け花用スポンジを取り出すことができる。
【００１４】
本考案では、前記可動片は、前記開口部の中央で二分されるとともにこの中央部から前記収納空間の内部に向けて押し開き可能に観音開き状に２枚設けられていることが好ましい。
【００１５】
このような構成において、可動片が中央で分かれるように２枚設けられているので、例えば、この中央部に両手の先端を押し当ててやると、両方の手で可動片を押し開きながら収納空間内の生け花用スポンジを押すことができる。両方の手を使いやすいので、力をかけやすく、取り出し作業が楽でかつ作業効率が向上する。
【００１６】
本考案では、前記押出し力付与部は、前記収納空間に収納された前記生け花用スポンジのうちの一の生け花用スポンジの底面を押せる範囲内において間を隔てて２つ以上設けられていることが好ましい。
【００１７】
押出し力付与部としては単一にのみ設けられる場合のみならず、複数であってもよい。この場合、一つの生け花用スポンジに対して複数の押出し力付与部からの力がかかるようにしてもよい。
【考案を実施するための最良の形態】
【００１８】
以下、本考案の実施の形態を図示するとともに図中の各要素に付した符号を参照して説明する。
（第１実施形態）
本考案の第１実施形態について説明する。
図１は、第１実施形態の斜視図を示す図である。
図２は、第１実施形態を底面側からみた図である。
図３は、第１実施形態の底面を開口した状態を示す図である。
図４は、第１実施形態において収納空間内の生け花用スポンジを取り出している状態を示す図である。
【００１９】
本考案の第１実施形態に係る生け花用スポンジ収納箱１００は、底面１１０と、底面１１０に対向する側の面に設けられた天面１２０と、底面１１０と天面１２０との間の空間を収納空間１４０として画成する側壁１３０と、を備える。
なお、図１においては、天面１２０は開口されており、４枚の可動片１２１を重ねて閉じることで天面１２０が形成される。
また、底面１１０についても、４枚の可動片１１５、１１６により開閉自在に形成されている（図３参照）。
【００２０】
底面１１０および天面１２０は矩形であり、スポンジ収納箱１００は全体として直方体である。そして、収納空間１４０の内寸は、生け花用スポンジ１０を隙間なく詰められるように適宜設計される。これは、収納空間１４０に収納する生け花用スポンジ１０が直方体形状であるため、隙間なく最密充填するには収納箱としても直方体である方が好ましいからである。また、スポンジ収納箱１００を直方体にすることにより、運送の際に積み重ねられるという利点もある。
スポンジ収納箱１００の底面１１０、天面１２０、側壁１３０はダンボール等の厚紙の他、例えば所定の剛性を有する合成樹脂によって形成されてもよい。
【００２１】
天面１２０は、開閉可能に設けられており、側壁１３０の天面側端面において揺動可能な４枚の可動片１２１によって開閉されるようになっている。そして、この天面１２０が開口した際の開口部により生け花用スポンジを収納空間１４０に出し入れする取出し開閉部１２２が構成される。
【００２２】
底面１１０には、開口部１１１と、この開口部１１１を閉塞する蓋部（可動片）１１２と、が設けられている（図２参照）。
蓋部１１２は、通常は、開口部１１１を閉塞しており、蓋部１１２の周囲には連結部１１３となる一部を残してミシン目（脆弱部）１１４が形成されており、このミシン目１１４の部分において蓋部１１２は底面１１０から外れやすくなっている。そして、蓋部１１２に力を加えると、ミシン目１１４のところで蓋部１１２は底面１１０から外れ、連結部１１３を枢軸として蓋部１１２が揺動可能な可動片となる。そして、蓋部１１２を収納空間内に押し込んだ際に、生け花用スポンジ１０に押出し力が付与される。
【００２３】
ここに、開口部１１１と蓋部１１２とにより押出し力付与部１１９が構成されている。
【００２４】
押出し力付与部１１９を設ける位置は、底面１１０のうち、天面側の開口（取出し開閉部１２２）に対向する位置であればよく、第１実施形態においては、天面１２０の全体に対して底面１１０が対向しているので、押出し力付与部１１９を設ける位置は特に限定されるものではない。
ただし、図３に示すように、底面１００が内側可動片１１５と外側可動片１１６とを備え、内側可動片１１５を閉じた後に外側可動片１１６を閉じることによって底面１１０を構成している場合、押出し力付与部１１９は、外側可動片１１６において内側可動片１１５に重ならない位置に配設されていることが望ましい。
内側可動片１１５に重なる位置に押出し力付与部１１９が設けられていると、内側可動片１１５にも開口部を設ける必要があるところ、外側可動片１１６において内側可動片１１５とは重ならない位置に押出し力付与部１１９を設けることにより、加工工程を削減し製造コストを低減させることができる。
【００２５】
また、押出し力付与部１１９のサイズとしては、生け花用スポンジ１０の底面よりも小さい大きさを上限値とすることが好ましい。これは、収納空間内の生け花用スポンジ１０が押出し力付与部１１９から抜け落ちないためである。また、押出し力付与部１１９から複数の生け花用スポンジ１０ではなく、一の生け花用スポンジ１０に力を付与するためである。
【００２６】
また、蓋部１１２を収納空間１４０に押し込んだ際に生け花用スポンジ１０が天面側の開口（取出し開閉部１２２）から突出し、この突出の長さが指でしっかりと把持できる程度の長さとなることが必要である。また、蓋部１１２は、指で押せる程度の幅および長さが必要である。そのため、押出し力付与部１１９において、蓋部１１２の揺動半径ｒは、２ｃｍ以上、望ましくは、３ｃｍ以上である。また、蓋部１１２の幅ｗは、２ｃｍ以上、望ましくは３ｃｍ以上である。
【００２７】
次に、この生け花用スポンジ収納箱１００の使用方法を説明する。
実際の使用にあたって、生け花用スポンジ１０を出荷する際には、スポンジ収納箱１００の収納空間１４０に生け花用スポンジ１０を最密に充填する。このとき、開口部１１１は蓋部１１２によって閉塞された状態のままとする。そして、この状態で出荷する。
梱包を開封するにあたって、まず、天面１２０を開口させる。続いて、底面１１０の蓋部１１２を手などで押し、蓋部１１２をミシン目１１４のところで底面１１０から外し、そのまま開口部１１１から蓋部１１２を収納空間内に押し込んでいく（図４参照）。すると、収納空間内の生け花用スポンジ１０が天面側の開口（取出し開閉部１２２）に向けて押し出される。このようにして最初の一個が押し出されるので、この一個を抜き出す。一つを抜き出すと、収納空間内に隙間ができるので、二つ目以降は困難なく収納箱から取り出される。
【００２８】
次に、本考案の変形例について説明する。
【００２９】
（変形例１）
図５に本考案の変形例１を示す。
変形例１においては、押出し力付与部２００が、開口部２１０であり、蓋部が設けられていない。
このような構成においても、開口部２１０から指あるいは棒などを押し込むことにより、収納空間内の生け花用スポンジ１０を天面側開口に押し出すことができる。
【００３０】
（変形例２）
図６に本考案の変形例２を示す。
変形例２においては、蓋部３２０が中央で二分可能である。蓋部３２０を閉じている状態では、この２つの蓋部３２０は例えばミシン目等の脆弱部で繋がっており、力をかけたときに二分するように構成しておく。なお、蓋部３２０が二分する位置が生け花用スポンジ１０の底面の略中央に当たるようにしておくことが望ましい。このような構成によれば、生け花用スポンジ１０の底面をその中央において、真っ直ぐに天面側開口に向けて押せる。また、左右の手の指でそれぞれの蓋部３２０を押すようにすれば力をかけやすいという効果を奏する。
【００３１】
（変形例３）
図７に本考案の変形例３を示す。
変形例３においては、押出し力付与部４００は、間を隔てて２つ設けられている。この場合、２つの押出し力付与部４００が一つの生け花用スポンジ１０の底面を押せるようにすることが好ましく、具体的には、一の生け花用スポンジ１０の底面を押せる範囲内において間を隔てて２つの押出し力付与部４００を設ける。例えば、図６の変形例２のごとく中央で蓋部３２０が二分されていると、この蓋部３２０がわずかな力で簡単に開いてしまう恐れがあるが、この点、本変形例３のごとく、２つの蓋部４１０を離間させておけば、蓋部４１０が簡単には開かないようにできる。
【００３２】
（変形例４）
図８に本考案の変形例４を示す。
変形例４においては、押出し力付与部５００が、間を隔てて２つ設けられている点は変形例３に同様であるが、２つの蓋部５１０で可動側が互いに離間した側である点が変形例３とは異なっている。
【００３３】
なお、本考案は前述の実施形態、変形例に限定されず、本考案の目的を達成できる範囲での変形、改良等は本考案に含まれる。
脆弱部は、ミシン目に限定されず、例えば、切込みでもよい。
生け花用スポンジ収納箱は、生け花用スポンジを一段で収納する構成のみならず、二段、三段に重ねて収納可能な大きさであってもよい。
このような場合でも、底面側の生け花用スポンジが押されることで天面側の生け花用スポンジが押し出され、本考案の作用効果を奏することはもちろんである。
押出し力付与部は、底面において複数設けられていてもよく、この場合、一の生け花用スポンジの底面を押せる位置に複数の押出し力付与部が設けられていてもよく、あるいは、互いに離隔した位置に複数の押出し力付与部が設けられていてもよい。
押出し力付与部の開口部の大きさは特に限定されるものではなく本考案の作用効果を奏する範囲内で適宜設計されればよい。
【産業上の利用可能性】
【００３４】
本考案は、生け花用スポンジの収納箱に利用できる。
【図面の簡単な説明】
【００３５】
【図１】第１実施形態の斜視図を示す図。
【図２】第１実施形態を底面側からみた図。
【図３】第１実施形態の底面を開口した状態を示す図。
【図４】第１実施形態において収納空間内の生け花用スポンジを取り出している状態を示す図。
【図５】本考案の変形例１を示す図。
【図６】本考案の変形例２を示す図。
【図７】本考案の変形例３を示す図。
【図８】本考案の変形例４を示す図。
【図９】生け花用スポンジの使用状態を示す一例である。
【符号の説明】
【００３６】
１０…生け花用スポンジ、１００…生け花用スポンジ収納箱、１１０…底面、１１１…開口部、１１２…蓋部、１１３…連結部、１１４…ミシン目、１１９…押出し力付与部、１２０…天面、１２１…可動片、１２２…取出し開閉部、１３０…側壁、１４０…収納空間、２００…押出し力付与部、３２０…蓋部、４００…押出し力付与部、４１０…蓋部、５００…押出し力付与部、５１０…蓋部。
【図１】
0003128247.tif 000003
【図２】
0003128247.tif 000004
【図３】
0003128247.tif 000005
【図４】
0003128247.tif 000006
【図５】
0003128247.tif 000007
【図６】
0003128247.tif 000008
【図７】
0003128247.tif 000009
【図８】
0003128247.tif 000010
【図９】
0003128247.tif 000011